Podtech/llm-jp-corpus-v4-ja_patent huggingface dataset:
(57)【要約】      （修正有）【課題】剛毛付き爪楊枝を提供する。【解決手段】主杵１１は細長く、かつ２個の歯間内に伸ばすことが可能である。剛毛１２は主杵１１の表面上に植設され、主杵１１は２個の歯間で主杵１１の挿入に好都合なように軟らかい材料で作製できる。剛毛１２上に被覆層１３を形成することにある。被覆層１３の材料は口内すすぎ水、洗浄液、歯磨き粉または清涼物質から選択できる。被覆層１３の機能によって、歯肉との接触によって生じる痛みを緩和でき、これによって爽快な効果が得られることになる。【選択図】図２
0003133256.tif 000002
【実用新案登録請求の範囲】
【請求項１】
主杵（１１）と、
前記主杵の表面上に植設される剛毛（１２）と、
前記剛毛を被覆する被覆層（１３）と、
から構成されることを特徴とする剛毛付き爪楊枝。
【請求項２】
前記被覆層の材料が口内すすぎ水、洗浄液、歯磨き粉または清涼物質から選定されることを特徴とする請求項１記載の剛毛付き爪楊枝。
【考案の詳細な説明】
【技術分野】
【０００１】
本考案は、剛毛付き爪楊枝、特に剛毛の１本１本が被覆層で被覆された剛毛付き爪楊枝に関する。
【背景技術】
【０００２】
剛毛付き爪楊枝は歯間に蓄積された食べ物かすをきれいに除去するために使用され、これにより歯の健康管理の効果をもたらす。また、このやり方は従来の慣行となっていた。従来の剛毛付き爪楊枝はその表面に剛毛を植設した細くて長い主杵を有する。剛毛が外側へ突き出ることによって、該爪楊枝は従来の剛毛なし爪楊枝よりもすぐれた食べ物かす除去効果を発揮できる。しかしながら、このような剛毛付き爪楊枝は始末に悪いチューイングガムをうまく扱うことができず、人を不愉快にさせる。この状況は改善される必要がある。
【考案の開示】
【考案が解決しようとする課題】
【０００３】
本考案は剛毛付き爪楊枝を主として提供する。
【課題を解決するための手段】
【０００４】
本考案の爪楊枝はその表面に剛毛を植設した主杵を有し、剛毛にはその1本1本に被覆層を被覆している。該被覆層の材料は、口内すすぎ水、洗浄液、歯磨き粉または清涼物質とすることができる。被覆層は利用者に爽快な感覚を与えることができる。
【０００５】
さらに本考案は、複数の剛毛付き爪楊枝を収納するための包装装置を提供する。該包装装置は、剛毛付き爪楊枝を収納する複数の格子縞状ポケットを備えるシート部材、および剛毛付き爪楊枝の被覆層を形成する材料を収納するポケットスペースを有する。爪楊枝の被覆層が使用中になくなると、さらに被覆層をポケットスペースから補充することができ、これにより優れた使用効果が得られる。
【０００６】
格子縞状ポケットに収納される剛毛付き爪楊枝上の剛毛の表面は被覆層なしにもすることができ、使用に際しては、剛毛をポケットスペース内の材料に浸して接触させ、被覆層を形成させることができる。これが包装装置のもうひとつの実施態様である。
【０００７】
本考案は、添付図面を参照しながら本考案の好適な実施例の詳細な説明によりその構造および効果が明らかになる。
【実施例】
【０００８】
本考案の実施例を図1および図2により説明する。本考案の剛毛付き爪楊枝１は主杵１１と、剛毛１２と、被覆層１３とから構成される。
【０００９】
主杵１１は細長く、かつ2個の歯間内に伸ばすことが可能である。剛毛１２は主杵１１の表面上に植設され、主杵１１は、図３に示すように2個の歯２０間で主杵１１の挿入に好都合なように軟らかい材料で作製できる。
【００１０】
本考案は、図2に示すように、剛毛１２上に被覆層１３を形成することにある。被覆層１３の材料は口内すすぎ水、洗浄液、歯磨き粉または清涼物質から選択できる。
【００１１】
使用にあたっては、被覆層１３の機能によって、本考案は歯肉との接触によって生じる痛みを緩和でき、これによって爽快な効果が得られることになる。
【００１２】
またさらに、図4を参照すると、本考案はその中に複数の剛毛１２付き爪楊枝１を収納するための包装装置３０を提供する。包装装置３０は剛毛１２付き爪楊枝１を収納するための複数の格子縞状のポケット３２を含むシート部材３１を主として有する。格子縞状のポケット３２は射出成形により作製され、かつシート部材３１は紙のような硬い繊維材料製である。剛毛１２付き爪楊枝１用の被覆層１３の材料の補充を可能にするために、シート部材３１にはその上にやはり射出成形で形成されかつ独立した格子縞状のポケットスペースである少なくとも1個のポケットスペース３３が設けられ、ポケットスペース３３には口内すすぎ水、洗浄液、歯磨き粉または清涼物質のような被覆層１３用の補充材料がその中に貯留される。
【００１３】
多数回の使用後被覆層１３の消費により、利用者が爪楊枝１の剛毛１２をポケットスペース３３内の材料に直接接触させて被覆層１３を形成できるようにするために包装装置３０はポケットスペース３３を有するようになっている。
【００１４】
また、包装装置３０の格子縞状ポケット３２に収納される剛毛１２付き爪楊枝１上の剛毛１２の表面は被覆層１３なしにもすることができ、使用に際しては、剛毛１２をポケットスペース３３内の材料に浸して接触させ、被覆層１３を形成できる。
【００１５】
以上記述した内容は、本考案の好適な実施例を説明しているに過ぎない。本考案の趣旨および範囲から逸脱せずに本考案の要素に対して、たとえば、爪楊枝の剛毛および主杵の形状、または包装装置上の格子縞状のポケットおよびポケットスペースの個数の増減のような、様々な改変または変更を行うことできることは当業者にとっては明らかである。また、すべてのこのような改変および変更は添付した特許請求の範囲内に該当するものとし、かつ本考案の一部分を形成するとみなされる。
【図面の簡単な説明】
【００１６】
【図１】本考案による剛毛付き爪楊枝の外観を示す斜視図である。
【図２】図1における"A"部を示す拡大斜視図である。
【図３】本考案の剛毛付き爪楊枝の使用を示す略図である。
【図４】複数の剛毛付き爪楊枝を収納する包装装置の外観を示す斜視図である。
【符号の説明】
【００１７】
１：爪楊枝
１１：主杵
１２：剛毛
１３：被覆層
２０：歯
３０：包装装置
３１：シート部材
３２：ポケット
３３：ポケットスペース
【図１】
0003133256.tif 000003
【図２】
0003133256.tif 000004
【図３】
0003133256.tif 000005
【図４】
0003133256.tif 000006
(57)【要約】   【課題】男性が紙おむつを使うと陰嚢に糞が付き、おむつ交換時に綺麗に拭き取らなければならず手間がかかり不便である。  また、おむつ交換までには数回分の排尿を抱えていなければならず不快感を伴う。これらを解消し、便利なものを提供する。 【解決手段】  紙おむつを着けると性器が当たる部分に設けた穴から陰茎及び陰嚢を摘出し、紙おむつの前方外側に設けた性器収納袋内に性器を孤立させる。従って糞との接触がなくなり陰嚢は汚れない。また、患者の陰茎は独立した収納袋に入っているので、病状に応じて適切な方法で尿の処理が出来て快適である。  【選択図】  図２
0003133278.tif 000002
【実用新案登録請求の範囲】
【請求項１】
長方形状をなす吸水マットをプラスチック製の袋に収納した紙おむつの前部に、陰茎及び陰嚢を外側に取り出すための穴を有し、穴から外に出した陰茎及び陰嚢を収納する性器収納袋を外部に有することを特徴とする男性用紙おむつ。
【請求項２】
該性器収納袋に尿吸収パッドを備えた事を特徴とする請求項１記載の男性用紙おむつ。
【考案の詳細な説明】
【技術分野】
【０００１】
本考案は紙おむつを使用している寝たきりの男性病人や老人などが使用する紙おむつの改良に関する。
【背景技術】
【０００２】
一般に、紙おむつは表面を透水性のプラスチック不織布などで形成し、プラスチック製袋の中に吸水マットを収納した構造で、寝たきりの人の下腹部に当てて、包み込むようになっている。また形状も長方形状のフラット形やパンツ形などがあるが、フラット形のものが安価で、長期間寝たままの人にとっては経済的である。
【０００３】
従来の紙おむつは、下腹部を総体的に包み込む構造であるので、排便した時に糞と尿が交ざり糞泥となる。特に男性には陰嚢があるので、糞泥が付着し、きれいに拭き取るには大変手間がかかり、介護作業の中でも最も厄介な作業で、介護者、病人相互に負担が大きい。そこで、おむつに陰嚢取出口を設けて、陰嚢部のみを外側に取り出す方法が提案されている。
しかし、上記の方法では糞と尿が交ざった糞泥が発生し、これが陰嚢以外の尻部等には付着する。
【０００４】
さらに、おむつに尿溜め袋と糞溜め袋を具備し、排出された尿と糞を別々に回収して両者が交ざり合い糞泥が発生するのを防止するおむつも提案されている。
しかし、排便した時のみでなく、排尿時にもおむつをめくって交換する手間がかかる。さらに、おむつを着用した状態での尿瓶や尿取管の利用が困難との欠点をも有していた。
【０００５】
【特許文献１】特開平０９−１３１３６７号公報
【特許文献２】特開２００１−２９３７８号公報
【考案の開示】
【考案が解決しようとする課題】
【０００６】
本考案は上記欠点を克服し、男性が紙おむつを使用しても糞泥が発生することが無く、また糞が陰嚢に付着せず、さらに排尿時の処置が簡便に行えるな男性用紙おむつを提供するものである。
【課題を解決するための手段】
【０００７】
本考案の請求項１記載の紙おむつは長方形状をなす吸水マットをプラスチック製の袋に収納した紙おむつの性器が当たる前部に、陰茎及び陰嚢を外側に取り出すため穴を有し、穴から外に出した陰茎及び陰嚢を収納する性器収納袋を外部に有することを特徴とする男性用紙おむつであり、さらには、本考案の請求項２記載の男性用紙おむつは該性器収納袋に尿吸収用パッドを備えた事を特徴とする男性用紙おむつである。
【０００８】
本考案の請求項１記載の男性用紙おむつを使用する場合、先ず臀部に当て、前部に設けた穴から陰茎及び陰嚢を外部に取り出し、性器収納袋に納める。此れによって性器は孤立するので、おむつを着用した状態で尿瓶や尿取管を用いて尿を回収することも出来るし、また尿吸収パッドを用いて処理することもできる。
尿吸収パッドは紙おむつを広げる事無く、性器収納袋から取り出して簡便に交換できる。
【考案の効果】
【０００９】
以上説明したように、本考案の男性用紙おむつは、糞泥の発生がなく、排尿時の処置が簡便であるので、介護者、患者双方の肉体的かつ精神的苦痛が緩和される。
【考案を実施するための最良の形態】
【００１０】
以下、本考案の実施の一形態を図１ないし図３を参照して詳細に説明する。
図１は本考案の男性用紙おむつで、性器収納袋１に陰茎及び陰嚢を孤立させて収納する。
また、外側は不透水性のプラスチックシートで、内側は透水性のプラスチック不織布で覆われ、内部に吸水マットを収納している。
【００１１】
また、紙おむつ本体５と性器収納袋１は穴２でつながっている。紙おむつ本体５は糞処理専用で、性器収納袋１は尿処理専用である。
病状によって尿処理方法が異なるので、性器収納袋１には面ファスナー４を備えて開閉できるようにした。例えば、尿瓶や尿取管を使う場合は開口して使用し、尿吸収パッド３を使う場合は密閉できるようにした。
【図面の簡単な説明】
【００１２】
【図１】本考案の紙おむつの実施形態を示すもので、着用時の正面図
【図２】着用時の紙おむつのＡ〜Ａ断面図。
【図３】紙おむつを拡げた内側の全体図
【符号の説明】
【００１３】
１   性器収納袋
２   穴
３   尿吸収パッド
４   面ファスナー
５   紙おむつ
６   陰嚢
【図１】
0003133278.tif 000003
【図２】
0003133278.tif 000004
【図３】
0003133278.tif 000005
(57)【要約】【課題】結婚披露宴等で、できるだけ多くの人に気軽に参加してもらえるような、楽しいイベントのための手段を提供する。【解決手段】ボール(１)に、ボールと風船を結び着ける水溶性の紐(３)を取り付けてなる風船ボールである。会場庭園のプールの傍らで、膨らませた風船を風船ボールの紐に結びつけ、参会者各人がプールに向かってボールと風船を一緒に投げる。すると風船はボールに引かれて水面を漂う。やがて一定時間後、ボールと風船を結ぶ紐が溶けて切れ、沢山の風船が一斉に空中に舞い上がる。参会者は、自ら参加して作り出したこの光景を見て、一斉に拍手し、歓声を上げて大いに盛り上がる。【選択図】図１
0003133231.tif 000002
【実用新案登録請求の範囲】
【請求項１】
ボール(１)に水溶性の紐(３)を取り付けてなる風船ボール。
【考案の詳細な説明】
【技術分野】
【０００１】
本考案は、結婚披露宴等で有用な「風船ボール」と名付けるイベント用小物に関する。
【背景技術】
【０００２】
結婚披露宴では、大勢の参会者が一緒に盛り上がる楽しい趣向や娯楽性が求められる。
【０００３】
楽しい趣向としては、できるだけ多くの人が手軽に参加できて、しかも何がしか意外性のあるイベントが好ましい。
【０００４】
【特許文献１】特開２０００−０６１１５６号公報  この文献は、風船に関連する発明を開示しているが、本考案とは関係がない。
【考案の開示】
【考案が解決しようとする課題】
【０００５】
結婚披露宴等で、できるだけ多くの人に気軽に参加してもらえるような、楽しいイベントのための手段を提供する。
【課題を解決するための手段】
【０００６】
上記の課題は例えば、ボールに、ボールと風船を結びつける水溶性の紐を取り付けてなる「風船ボール」（別名"Drop & Fly"とも呼ぶ。）により解決することができる。
【考案の効果】
【０００７】
会場庭園のプールの傍らで、膨らませた風船を風船ボールの紐に結びつけ、参会者各人がプールに向かってボールと風船を一緒に投げる。すると風船はボールに引かれて水面を漂う(Drop)。
【０００８】
やがて一定時間後、ボールと風船を結ぶ紐が溶けて切れ、沢山の風船が一斉に空中に舞い上がる(Fly)。参会者は、自ら参加して作り出したこの光景を見て、一斉に拍手し、歓声を上げて大いに盛り上がる。
【考案を実施するための最良の形態】
【０００９】
本考案を実施するための最良の形態を、実施例により説明する。
【実施例１】
【００１０】
図１は、本考案に係る風船ボールの一実施例を示す見取り図である。本考案の構成外の風船４を点線で表わしている。
【００１１】
本実施例の風船ボールは、ボール１と、ボール１に植え込まれた紐取付け部２と、水溶性の紐３とから構成され、紐３は取付け部２を介してボール１に結び付けられる。
【００１２】
ボール１は、例えば市場で流通している、ゴム又は軟質プラスチック製の、厚肉球殻体からなるボール遊具を利用することができる。この遊具には色々な形があるが、ボール１としては球形のものが使い易い。直径は４０ｍｍ前後、重さ４０〜５０グラムのものが好適で、色彩はカラフルなものが良い。
【００１３】
紐取付け部２は、適宜な線材をリング状にしてその一端をボール１の肉部へ植え込む。
【００１４】
水溶性の紐３は、ポリビニルアルコール（例えば、日本合成化学工業株式会社、ハイセロンＣ−２００）製の繊維からなる薄い布を一定幅に裁断した平紐が好適である。この平紐は、裁断幅を変えることにより水中での溶断時間を調節できるので便利である。
【００１５】
使用時には、紐３の先端に風船４を結び付ける。
【図面の簡単な説明】
【００１６】
【図１】本考案に係る風船ボールの一実施例を示す見取り図である。
【符号の説明】
【００１７】
１  ボール
２  紐取付け部
３  水溶性の紐
４  風船
【図１】
0003133231.tif 000003
(57)【要約】      （修正有） 【課題】購入者の要望に応えることができる意匠的に優れた新規なドア枠構造を提供する。【解決手段】ドア枠構造は、ドア枠１の表面に設けるケーシング６を石材により構成し、ドア枠構造は、ドア枠に嵌め込み用溝７を形成し、ケーシングを断面Ｌ字形状に形成し、ケーシングの断面Ｌ字形状に形成した突条８をドア枠の嵌め込み用溝に嵌め込み固定する。【選択図】図１
0003133236.tif 000002
【実用新案登録請求の範囲】
【請求項１】
ドア枠の表面に設けるケーシングを石材により構成してあるドア枠構造。
【請求項２】
ドア枠に嵌め込み用溝を形成し、ケーシングを断面Ｌ字形状に形成し、ケーシングの断面Ｌ字形状に形成した突条をドア枠の嵌め込み用溝に嵌め込み固定してある上記請求項１に記載のドア枠構造。
【請求項３】
上記石材が大理石である上記請求項１又は２に記載のドア枠構造。
【請求項４】
上記石材が御影石である上記請求項１又は２に記載のドア枠構造。
【考案の詳細な説明】
【技術分野】
【０００１】
本考案は、建築・住宅関連のドアの周りにめぐらせるドア枠構造に関する。
【背景技術】
【０００２】
ドアの周りにケーシングをめぐらせたドア枠構造は公知であり、このケーシングはドアの木材に合わせて意匠的にもドアと合致する木材が使用されている。
【考案の開示】
【考案が解決しようとする課題】
【０００３】
最近では、ドアの周りの意匠をドアのデザインと合わせて、購入者の要望に応えることができる意匠的に優れたドア枠構造の出現が望まれるようになったという課題がある。
本考案は、上記課題に鑑み、購入者の要望に応えることができる意匠的に優れた新規なドア枠構造を提供するものである。
【課題を解決するための手段】
【０００４】
そのために、本考案ドア枠構造は、ドア枠の表面に設けるケーシングを石材により構成してある。
また、本考案ドア枠構造は、ドア枠に嵌め込み用溝を形成し、ケーシングを断面Ｌ字形状に形成し、ケーシングの断面Ｌ字形状に形成した突条をドア枠の嵌め込み用溝に嵌め込み固定してある。
上記石材が大理石であるとよい。
上記石材が御影石であるとよい。
【考案の効果】
【０００５】
本考案ドア枠構造は、ドア枠の表面に設けるケーシングを石材により構成してあるから、ケーシングを木材により構成したドア枠構造に比し、意匠的に斬新なドア枠構造とした効果がある。
また、本考案ドア枠構造は、ドア枠に嵌め込み用溝を形成し、ケーシングを断面Ｌ字形状に形成し、ケーシングの断面Ｌ字形状に形成した突条をドア枠の嵌め込み用溝に嵌め込み固定してあるから、ドア枠構造の組み立て作業を簡易になし得る効果がある。
さらに、本考案ドア枠構造は、石材が大理石であるから、または、御影石であるから、意匠的に斬新なドア枠構造となし得た効果がある。
【考案を実施するための最良の形態】
【０００６】
図面に示した実施例により本考案の詳細を説明する。
図中１が、建築物の壁２に貫通した通孔３の壁の縁に固定したドア枠で、このドア枠１にドア４がヒンジ連結して取り付けてあり、このドア４はドア枠１に設けたドア止め５によりドアがその閉じ方向に止められるようにしてある。
【０００７】
図中６がケーシングで、ドア枠１の表側及び裏側の表面に設けられ、本考案ではこのケーシング６を石材により構成してあることを特徴とする。石材で構成したこのケーシング６は、断面Ｌ字形状に形成してあり、一方のドア枠１の表側及び裏側には嵌め込み用溝７を形成してあり、この嵌め込み用溝７に断面Ｌ字形状に形成した短い方の突条８を嵌め込むことによりケーシング６をドア枠１に固定してある。この他図中９は床である。
また、本考案の実施例ではケーシング６を大理石又は御影石で構成してある。
【０００８】
本考案ドア枠構造では、ケーシング６に石材を使用し、例えば大理石又は御影石で構成してあるから、ドア枠構造の意匠を木材とは異なり斬新なデザインにすることができ、物によってはきわめて重厚なデザインにすることができる。
【図面の簡単な説明】
【０００９】
【図１】本考案ドア枠構造の横断断面図である。
【図２】本考案ドア枠構造の縦断断面図である。
【符号の説明】
【００１０】
１    ドア枠
２    壁
３    通孔
４    ドア
５    ドア止め
６    ケーシング
７    嵌め込み用溝
８    突条
９    床
【図１】
0003133236.tif 000003
【図２】
0003133236.tif 000004
(57)【要約】 【課題】  印鑑を捺印する時の触感を高め、滑りにくく装飾性にも優れた印章を提供すること。【解決手段】  本考案は、これまで使われてきた材質の印材１の外周部に皮革２等を巻き付け固着することにより、皮革の柔らかさや触感によって掴みやすくなり、捺印時に指が滑りにくく、また疲労も軽減される。また、表面加工された皮革等を使用することにより装飾性を一層高めることができる。【選択図】  図１
0003133704.tif 000002
【実用新案登録請求の範囲】
【請求項１】
印章材の、両端を除いた外周部に皮革を巻いたことを特徴とする印章。
【請求項２】
皮革を巻いた印章材本体と、その両端に固着された印面部、及び、上端部を備えていることを特徴とする印章。
【考案の詳細な説明】
【技術分野】
【０００１】
本考案は、印章として使用される円柱形や角柱形の印章に関するものである。
【背景技術】
【０００２】
印章には、木材や動物の牙や角などが使われており、近年はプラスチックや陶器、石材、金属等の材質でもつくられていて、表面や内部に装飾を施したりといずれも視覚に訴えるものが多くあるが、表面が滑らかに仕上げられているため、捺印時に持つ指先が滑りやすいことがあった。
【考案の開示】
【考案が解決しようとする課題】
【０００３】
印章を使う時の触感を高め、滑りにくく装飾性にも優れた印章を提供することを目的とする。
【課題を解決するための手段】
【０００４】
本考案は、これまで使われてきた材質の印章の外周部に、装飾性のある皮革を巻きつけることにより、使いやすさを高めたものである。
【考案の効果】
【０００５】
皮革の柔らかな手触りと持ちやすさにより、捺印がし易くなり、捺印時の疲労軽減が図れるとともに、表面に巻きつけた皮革により、装飾性が高められる。
【考案を実施するための最良の形態】
【０００６】
捲きつけた皮革上面と印材表面との段差をなくすために、印材を皮革の厚み分削り取り、そこに皮革を巻き固着する。
【０００７】
捲きつける皮革は、天然皮革や毛皮、合成皮革等を用いる。
【０００８】
印材は、全体を同一の素材としても良いし、皮革を巻く部分の素材を変更することも出来る。印章の両端は象牙等を使用し、皮革の巻き付け部は安価な樹脂材等を用いて、相互をネジや接着剤を用いて固着させる。
【実施例】
【０００９】
以下、添付図面に従って実施例を説明する。
図１は、印章の全体図を表す。  
【００１０】
図２は、皮革を巻き付ける部分を皮革の厚み分削った印材１に、皮革２を巻き付けた状態を表す。
【００１１】
図３は、皮革を巻く部分の材質を変更する場合を表す。
皮革２を巻き付けた芯材３と、印面部４及び上部印材５は、接合ネジ６又は接着剤により固着される。この場合、芯材３と、印面部４、上部印材５は、それぞれ別の材質とすることができる。
【図面の簡単な説明】
【００１２】
【図１】本考案の印章に彫刻を施した斜視図。
【図２】本考案の構造を示す斜視図。
【図３】本考案の材質を変更する場合の斜視図。
【符号の説明】
【００１３】
１  印材
２  皮革
３  芯材
４  印面部
５  上部印材
６  接合ネジ
７  印面
【図１】
0003133704.tif 000003
【図２】
0003133704.tif 000004
【図３】
0003133704.tif 000005
(57)【要約】【課題】  本棺は紙製の組立式の為、運搬、保管も容易に出来き、火葬焼却もし易い。また、遺体安置及び処理の作業も安置したまま出来るので、納棺時の作業労力の負担が少なくて済む。【解決手段】  組立式紙製の棺の為、本体内部の角部四ケ所を三角状の箱形にして木栓を差込み本体を強固に固定した。【選択図】図２
0003133795.tif 000002
【実用新案登録請求の範囲】
【請求項１】
組立式紙製棺であって、棺蓋上部は献花等の落下防止のため平坦にしてあり、保管しているときは展開してあり、使用するときは箱状に組み立てるようになっていて、組み立てたときの四隅には補強のため三角形の筒状に加工した紙製補強材（４）を断面板（１）の上下に各１箇所，側面板（１）の中央に１箇所設け、当該補強材は側面板と断面板を組み立てたときに交互にかみ合い、かみ合った後に木製であって前記三角形の筒状の空洞部に差し込みできるよう形成されたジョイント（５）を挿入する機能を有する組立式紙製棺。
【考案の詳細な説明】
【技術分野】
【０００１】本発明は納棺前に行う諸作業を容易にするための考えた組み立て式紙製棺に関する。
【背景技術】
【０００２】従来は多様な作品が多かったが、遺体安置後に処理を行う為、再度納棺の作業に労力がかかったが、本棺は遺体安置したままで少人数での納棺作業を容易にできるようにした。
【特許文献１】特許公開２００１−３１５７５５
【特許文献２】特許公開平１０−２９５７４７
【非特許文献１】登録実用新案第３０５７９１４号
【考案の開示】
【考案が解決しようとする課題】
【０００３】遺体処理後の納棺の作業労力がかからない。
【課題を解決するための手段】
【０００４】１，従来から考えられている紙製の棺は角の固め方など複雑で難しくて困難である。当発明品は角部を三角状な差込み部分を両方の隅に接着し角を組み合わせ上部より木栓を交互に差し込み強固な棺に完成する。
２，木栓を使用した理由は焼失にも問題ないことである金物類は使用しない。
３，棺蓋上部を平坦にしたのは献花等の落下防止のためと考えた。
４，組み立て式完成棺の強度を高めたいために棺の四隅を紙を三角形に加工した物を側面板と断面板に交互にのり付けし強度を補った。
５，棺は紙製のため保管の運搬などに手間がかからず安易であり従来の木製棺より手軽に加工もできる。
６，木製の桐材の材料は資源の減少により入荷が困難となる。
７，本発明棺を平面平らにしてその上に遺体を置き処理が完了した後は箱状に組立納棺時の手間労力が省ける。
８、金属製品は一切使用していないので焼却にも手間がかからない。
【考案の効果】
【０００５】本棺の組み立ては容易で、火葬焼却も問題ない。
【考案を実施するための最良の形態】
【０００６】以下本発明の実施の形態について説明する。
本体の棺を開き遺体を紙製棺の内部に安置処理後、棺本体を閉めて本体内部の角部四カ所に木栓を差し込み本体を固定し、上蓋を被せたら完了である。
【図面の簡単な説明】
【０００７】
【図１】本考案の斜視図
【図２】本考案の展開図
【図３】本考案の本体内部の角閉め展開図
【図４】本考案の本体内部の角閉め図
【符号の説明】
【０００８】１，  棺本体
２，  上蓋
３，  小窓
４，  角部閉め部品
５，  角部閉め木栓
【図１】
0003133795.tif 000003
【図２】
0003133795.tif 000004
【図３】
0003133795.tif 000005
【図４】
0003133795.tif 000006
(57)【要約】【課題】  ラップフィルムの切断部を簡単に指で摘み、ラップフィルムを箱本体から容易に引き出して、切断・使用できるラップフィルム用収納箱を提供する。【解決手段】  ロール状に巻かれたラップフィルムを収納するための箱本体と、箱本体の開口部を開閉するために箱本体と一体化して設けられた蓋体と、箱本体から引き出されたラップフィルムを切断するための鋸刃状のカッターとから構成されたラップフィルム用収納箱において、ラップフィルムと接する箱本体の前壁面に突起を設け、ラップフィルムが前壁面と密着するのを阻む。【選択図】図１
0003133798.tif 000002
【実用新案登録請求の範囲】
【請求項１】
ロール状に巻かれたラップフィルムを収納するための箱本体と、箱本体の開口部を開閉するために箱本体と一体化して設けられた蓋体と、箱本体から引き出されたラップフィルムを切断するための鋸刃状のカッターから構成されたラップフィルム用収納箱にあって、ラップフィルムと接する箱本体の前壁面に突起を設けることを特徴とするラップフィルム用収納箱。
【考案の詳細な説明】
【技術分野】
【０００１】  本考案は、ロール状に巻かれたラップフィルムを収納するための収納箱に関するものである。
【背景技術】
【０００２】  従来、種々の型式のラップフィルムを収納するための容器が知られているが、一般的には、ロール状に巻かれたラップフィルムを収納するために、紙製の箱本体と、箱本体の開口部に一体化して設けられた蓋体とから構成され、さらに、箱本体内から引き出されたラップフィルムを切断するための鋸刃状のカッターが箱本体の底壁の前壁側に取り付けられている。【０００３】  そして、収納箱からラップフィルムを切り出す時には、まず箱本体を持ち上げて蓋体を開き、ラップフィルムの切断端を指で摘んで所定の長さまで箱本体から引き出した後、蓋体を閉じて引き出したラップフィルムをカッターで切断する。【０００４】  しかし、上記のような収納箱においては、ラップフィルムの引き出しの際に生じる静電気によってフィルムの切断端が箱本体の前壁に張り付いた状態になり易い。【０００５】  それゆえ、再度、ラップフィルムを引き出そうとする時には、箱本体の前壁に密着したフィルムの切断端を指で摘み上げることが困難となり、特にお年寄り、子供、あるいは目の不自由な人にとってはさらに難しく、フィルムの引き出しに手間がかかり、場合によってはフィルムの引き出しが行えなくなることもある。
【考案の開示】
【考案が解決しようとする課題】
【０００６】  本考案は以上のような従来の欠点を解消すべく創出されたものであり、目的とするところは、ラップフィルムの切断端を容易に摘み取れるようにして、ラップフィルムを箱本体から簡単に引き出し使用できるラップフィルム用収納箱を提供することである。【０００７】  なお、本考案の上記ならびにその他の目的と新規な特徴は、以下の説明を添付図面と照らし合わせて読むと、より完全に明らかになる。
ただし、図面は専ら解説のためのものであって、本考案の記述範囲を限定するものではない。
【課題を解決するための手段】
【０００８】  以上の目的を達成するため、本考案は、ロール状に巻かれたラップフィルムを収納するための箱本体と、箱本体の開口部を開閉するために箱本体と一体化して設けられた蓋体と、箱本体から引き出されたラップフィルムを切断するための鋸刃状のカッターとから構成されたラップフィルム用収納箱にあって、ラップフィルムと接する箱本体の前壁面に突起を設けることを特徴とする。
【考案の効果】
【０００９】  箱本体から引き出され、切断されたラップフィルムの切断端は、箱本体の前壁の表面に点在する突起に阻まれ、前壁に密着することがなく、再度ラップフィルムを引き出そうとする際に、浮き上がった状態の切断端は、指で容易に摘むことができ、お年寄りや目の不自由な人も簡単にラップフィルムの引き出しが行うことが出来る。
【図面の簡単な説明】
【００１０】
【図１】この考案の一実施例を示す斜視図
【図２】この考案の一実施例を示す断面図
【符号の説明】
【００１１】Ｆ  ラップフィルム
Ｐ  フィルムロール
１  蓋体折曲部
２  蓋体
３  箱本体
４  側壁
５  紙管
６  前壁
７  カッター
８  突起
【図１】
0003133798.tif 000003
【図２】
0003133798.tif 000004
(57)【要約】【課題】発光ダイオードの光量の減衰が少なく目への直達光を抑制できる安価で堅牢な偏光シートを提供する。【解決手段】発光ダイオードの発光側に光を繊維と繊維の間で乱反射できる繊維の太さが１５ミクロン〜３０ミクロンで厚さ０．１ｍｍ〜０．２ｍｍの不織布と、発光ダイオードと不織布を保護する光透過率の高いシートを発光ダイオードの発光側に設ける。【選択図】図１
0003133791.tif 000002
【実用新案登録請求の範囲】
【請求項１】
不織布と光透過率の高いシートを組み合わせたことを特徴とする偏光シート
【考案の詳細な説明】
【技術分野】
【０００１】  発光ダイオードの光量の減衰が少なく目への直達光を抑制する不織布と発光ダイオードと不織布を保護する光透過率の高い保護シートを組み合わせた偏光シートに関する。
【背景技術】
【０００２】  省エネルギーの観点から発光ダイオードを用いた照明装置が使用されるようになってきた。発光ダイオードを用いた照明装置では、発光ダイオードの発光は蛍光灯や白熱灯などの光源とは異なり点光源に近く、発光ダイオードを直視すると残存現象などの障害が目に発生する危険性があるため、発光ダイオードの輝度の低下を回避しながら光を拡散させ目への直達光を抑制することが必要になる。
【考案の開示】
【考案が解決しようとする課題】
【０００３】  現在の発光ダイオードは蛍光灯や白熱灯などに比べると１個当たりの光量が小さいので、発光ダイオードを照明器具に適用する場合は複数個の発光ダイオードを使用する必要があるが、１個当たりの価格が高価であることから、発光ダイオードの発光側には発光ダイオードの明るさを確保し、また発光ダイオードの損傷防止を目的にした光透過率の高い素材を用いた保護シートのみを使用するのが一般的である。【０００４】  発光ダイオードの形状には一般的に砲弾型と面実装タイプがあるが、いずれも発光部は小さな半導体チップで構成されていることから、チップから発せられる光量は単位面積当たりに換算すると非常に大きくなり、また、指向性が非常に強いので発光ダイオードのチップを正面から直視すると、目に大きなダメージを与える可能性がある。【０００５】  発光ダイオードを用いた代表的な照明器具にデスクライト装置があるが、デスクライト装置は他の照明器具に比べ使用する人の直近に置かれることになるので、何等の対策が施されていない発光ダイオードを直視した場合は、発光ダイオードを用いた他の照明器具よりも目に大きなダメージを与える危険性がある。【０００６】  本考案は上述した問題点を解決するために、発光ダイオードの光を繊維と繊維の間で乱反射させ、繊維と繊維の間から光を照射できる不織布と光透過率の高い保護シートを組み合わせて、発光ダイオードの明るさを確保しつつ目への直達光を抑制し、かつ発光ダイオードを保護できる安価で堅牢な偏光シートを提供することにある。
【課題を解決するための手段】
【０００７】  発光ダイオードの発光側に光を乱反射させる繊維の太さが１５ミクロン〜３０ミクロンで厚さ０．１ｍｍ〜０．２ｍｍの不織布を発光ダイオードの発光側に設けるとともに、発光ダイオードと不織布を保護する光透過率の高い保護シートを設ける。
【考案の効果】
【０００８】  本考案によれば生産性が良く大量に生産できる不織布と、アクリルのような光透過率の高い保護シートを組み合わせることにより、発光ダイオードの光量の減衰と目への直達光を抑制し、かつ不織布と発光ダイオードを保護できる安価で堅牢な偏光シートを実現できる。
【考案を実施するための最良の形態】
【０００９】  一般の布は繊維を撚って縦糸と横糸で織ったり編んだりしてできている。不織布は一般の布と同じ繊維を使用しているが、紡口から押し出された糸が数万本幅広く重ねて並べられ、強度を出し繊維を固定するために、熱プレス・高圧水流法などによりシート状に仕上げられている。したがって、基本的には不織布の繊維はほぼ縦方向に並んでおり横糸に相当する糸はなく、空間が生ずるので通気性が得られる。【００１０】  不織布の繊維の太さは１５ミクロン〜３０ミクロンなので、繊維と繊維の間隔は一般の布より大きくなっている。このため、発光ダイオードからの光は繊維と繊維の間で乱反射されるとともに、繊維と繊維の間を通って照射される。【００１１】    図１は本考案に関わる不織布と、アクリルのような光透過率の高い保護シートを用いた偏光シートを発光ダイオードの発光側に設けた実施例である。１は保護シート、２は不織布、３は放熱ケース、４は発光ダイオード、５は配線基板である。【００１２】    図１において発光ダイオード４は配線基板５に実装され、配線基板５は発光ダイオード４を冷却するため放熱ケース３に取り付けられる。発光ダイオード４の発光側には不織布２が設けられている。不織布２は一般的に縦方向の力には強いが横方向の力に弱点があるので、不織布２と発光ダイオード４を保護シート１で保護している。【００１３】  図２は図１のＡで示す方向から見た実施例を示す図である。図１と同等構成については同符号を付している。不織布２は光を繊維と繊維の間で乱反射させ、繊維と繊維の間を通過させることになるので、発光ダイオード４の発光側と平行に配設することが望ましい。保護シート１は光を減衰させず、かつ不織布２と発光ダイオード４を保護する役目を担っているので、光透過率の高いアクリル樹脂の適用が考えられる。【００１４】  不織布２は繊維の集合体なので密度を上げても空間が生じるので通気性がある。したがって、不織布２を発光ダイオード４の直近に配設しても、発光ダイオード４の発熱は放熱ケース３への放熱と不織布２の通気性により冷却されるから、発光ダイオード４の温度上昇は回避できる。【００１５】  発光ダイオードの光を細い繊維と繊維間で乱反射できる不織布と光透過率の高い、例えばアクリル樹脂などのシートを組み合わせた本考案による偏光シートは、発光ダイオードの光量を確保しつつ目への直達光を抑制し、かつ不織布と発光ダイオードを損傷から保護できる。
【図面の簡単な説明】
【００１６】
【図１】本考案に関わる偏光シートを発光ダイオードの発光側に設けた構成例を示す全体図である。
【図２】本考案に関わる偏光シートを発光ダイオードの発光側に設けた構成例の断面を示す図である。
【符号の説明】
【００１７】    １  保護シート
２  不織布
３  放熱ケース
４  発光ダイオード
５  配線基板
【図１】
0003133791.tif 000003
【図２】
0003133791.tif 000004
(57)【要約】【課題】  本考案は、片手で使用可能なロールペーパーホルダーを提供することにある。【解決手段】  ロールペーパーＰを回転自在に支持する支持軸４の両端を保持する保持体２と、回転軸３で自在に移動が可能であって、ロールペーパーＰの側面に接する下側面６に突起を有し湾曲した上蓋５を配置する。同時に、支持体１との間にペーパーを引き出すための十分な隙間を有し、かつ上蓋５の下側面６がロールペーパーＰの側面と可能な限り多く接することが出来る位置に、回転軸３を配置する。さらに、上蓋５の先端切断部７に鋸刃状の刃を設ける。【選択図】図２
0003133797.tif 000002
【実用新案登録請求の範囲】
【請求項１】
ロールペーパーＰを回転自在に支持する支持軸４の両端を保持する保持体２と、回転軸３で自在に移動が可能であって、ロールペーパーＰの側面に接する下側面６に突起を有し湾曲した上蓋５を配置し、支持体１との間にペーパーを引き出すための十分な隙間を有し、かつ上蓋５の下側面６がロールペーパーＰの側面と可能な限り多く接することが出来る位置に、回転軸３を配置し、上蓋５の先端切断部７に鋸刃状の刃を設けたロールペーパーホルダー。
【考案の詳細な説明】
【技術分野】
【０００１】  本考案はロールペーパーホルダーに関する。
【背景技術】
【０００２】  従来のロールペーパーホルダーは、ロールペーパーを回転自在に保持し、使用時には、ペーパーを必要な長さだけ引き出した後、このロールペーパーの上に配置した上蓋をロールペーパーに押し当て、刃状になった先端部で、所定の長さに切断するものである。【０００３】  従って、ペーパーを切断する際にロールペーパーが回転してしまい、回転を抑えるために片手は上蓋を押さえ、もう一方の手でペーパーを切断するという具合に、両手を使用せねばならず、片手でのペーパーの切断は困難であった。
【考案の開示】
【考案が解決しようとする課題】
【０００４】  本考案は以上のような従来の欠点を解消するべく創出されたもので、キッチンペーパーないしトイレットペーパー等のロールペーパーを回転自在に保持し、使用の際にはペーパーを片手で容易に引き出し・抑え・切断できるロールペーパーホルダーを提供することを目的としている。【０００５】  本考案の上記並びにその他の目的と新規な特徴は、以下の説明を添付図面と照らし合わせて読むと、より完全に明らかになる。
但し、図面は専ら解説のためのものであって、本考案の記述範囲を限定するものではない。
【課題を解決するための手段】
【０００６】  上記目的を達成するために、本考案の第一の手段は、ロールペーパーＰを回転自在に支持する支持軸４の両端を保持する保持体２と、回転軸３で自在に移動が可能であって、ロールペーパーＰの側面に接する下側面６に突起を有し湾曲した上蓋５を配置することにある。【０００７】  第二の手段は、支持体１との間にペーパーを引き出すための十分な隙間を有し、かつ上蓋５の下側面６がロールペーパーＰの側面と可能な限り多く接することが出来る位置に、回転軸３を配置することにある。【０００８】  第三の手段は、上蓋５の先端切断部７に鋸刃状の刃を設けることにある。
【考案を実施するための最良の形態】
【０００９】  以下、図面を参照して、本考案の実施の形態を詳細に説明する。【００１０】  本考案のロールペーパーホルダーは、ペーパーの一端を、支持体１と上蓋５の隙間から引き上げ、上蓋５の上部を経て、鋸刃状の刃を有する先端切断部７に導く（図２参照）。【００１１】  ペーパーを片手で、上方ないしは右方向に引き出した後、下方に引っ張ると、ロールペーパーＰの側面と接する上蓋５の下側面６の突起部分に応力が集中して、ロールペーパーＰの回転が抑えられる。【００１２】  また、上蓋５の先端切断部７の鋸刃にペーパーが引き掻かることにより、さらに確実にロールペーパーの回転が抑えられると共に、鋸刃によってペーパーが切断される。
【考案の効果】
【００１３】  本考案は、上記のように構成したことによって、当初の目的を達成する。
【００１４】  すなわち、請求項１により、キッチンペーパーないしトイレットペーパー等のロールペーパーを使用する際に、片手で容易にペーパーを引き出して、必要な長さに切断することが可能となった。この結果、従来のように一方の手で上蓋５を押さえながら、もう一方の手でペーパーを切断するという両手での作業は不要となった。
【図面の簡単な説明】
【００１５】
【図１】この考案の一実施例を示す斜視図
【図２】この考案の一実施例を示す断面図
【符号の説明】
【００１６】Ｐ  ロールペーパー
１  支持体
２  保持体
３  回転軸
４  支持軸
５  上蓋
６  上蓋の下側面
７  先端切断部
【図１】
0003133797.tif 000003
【図２】
0003133797.tif 000004
(57)【要約】【課題】従来はシルバーカーボン（俗称）もしくはこれと同等の素材をＧＦＲＰ化する際のマトリクス樹脂にブラックライト等で照らすと発光する顔料等を混ぜて製作したＧＦＲＰに間接的に照明を照らすので、障害物等があると発光しない上、ブラックライト自体を見えないようにすると設計が困難。またこのＧＦＲＰを任意の形状にカットしたり遮光性のある任意の形状にカットした素材を上に置くとシルバーカーボン（俗称）もしくはこれと同等の素材の美しさが損なわれてしまう。【解決手段】ＥＬシートやＬＥＤ等の発光体をシルバーカーボン（俗称）もしくはこれと同等の素材の裏側から発光させる。また両者の間に遮光性のある任意の形状にカットした素材を置くことにより発光の際に任意の形状のみを発光させることができる。【選択図】図１
0003133740.tif 000002
【実用新案登録請求の範囲】
【請求項１】
ＥＬシートやＬＥＤ等の発光体をシルバーカーボンもしくはこれと同等の素材の裏側から発光させる照明装置。
【請求項２】
ＥＬシートやＬＥＤ等の発光体をシルバーカーボンもしくはこれと同等の素材の裏側から発光させる際に両者の間に遮光性のある任意の形状にカットした素材を置くことにより発光の際に任意の形状のみが発光する照明装置。
【考案の詳細な説明】
【技術分野】
【０００１】本考案はシルバーカーボンもしくはこれと同等の素材を発光させるための技術に関する。
【背景技術】
【０００２】シルバーカーボンもしくはこれと同等の素材を照明として使用するにはシルバーカーボンもしくはこれと同等の素材をＧＦＲＰ化する際のマトリクス樹脂にブラックライト等で照らすと発光する顔料等を混ぜて製作したＧＦＲＰをブラックライト等で照らすことで間接的に照明として使用し、文字や形状を発光させるにはＧＦＲＰ化したシルバーカーボンもしくはこれと同等の素材を任意の形状にカットするか遮光性のある任意の形状にカットした素材を上に置くことにより発光の際に任意の形状のみ発光させる等がある。
【考案の開示】
【考案が解決しようとする課題】
【０００３】従来の方法では間接的に照明を照らすので、障害物等があると発光しない。【０００４】ブラックライト自体を見えないようにしようとすると設計が困難。【０００５】シルバーカーボンもしくはこれと同等の素材を任意の形状にカットしたり遮光性のある任意の形状にカットした素材を上に置くとシルバーカーボンもしくはこれと同等の素材の美しさが損なわれてしまう。
【課題を解決するための手段】
【０００６】ＥＬシートやＬＥＤ等の発光体をシルバーカーボンもしくはこれと同等の素材の裏側から発光させる。【０００７】ＥＬシートやＬＥＤ等の発光体をシルバーカーボンもしくはこれと同等の素材の裏側から発光させる際に両者の間に遮光性のある任意の形状にカットした素材を置くことにより発光の際に任意の形状のみを発光させることができる。
【考案の効果】
【０００８】間接的に使用していた照明との一体化が可能となる。【０００９】設計上の制約を軽減できる。【００１０】ＧＦＲＰにしなくてもよい。【００１１】遮光性のある任意の形状にカットした素材を見せずにシルバーカーボンもしくはこれと同等の素材の美しさを見せることができる。
【考案を実施するための最良の形態】
【００１２】本考案に使用されるシルバーカーボンもしくはこれと同等の素材は透過性に優れていないため、裏側に設ける発光体の性能を充分に生かすために、シルバーカーボンもしくはこれと同等の素材と遮光性のある任意の形状にカットした素材とＥＬシートやＬＥＤ等の発光体それぞれの距離はできる限り近接していることが好ましい。
【図面の簡単な説明】
【００１３】
【図１】本考案の正投影図であり図中の各Ａ、Ｂ、Ｃ間の距離はできる限り近接しているものとする。
【符号の説明】
【００１４】１  Ａはシルバーカーボンもしくはこれと同等の素材
２  Ｂは遮光性のある任意の形状にカットした素材
３  ＣはＥＬシートやＬＥＤ等の発光体
【図１】
0003133740.tif 000003
【手続補正書】
【提出日】平成19年4月16日(2007.4.16)
【手続補正１】
【補正対象書類名】実用新案登録請求の範囲
【補正対象項目名】請求項１
【補正方法】変更
【補正の内容】
【請求項１】
ＥＬシートやＬＥＤ等の発光体をシルバーカーボンもしくはこれと同等の素材の裏側に配置して発光させる照明装置。
【手続補正２】
【補正対象書類名】実用新案登録請求の範囲
【補正対象項目名】請求項２
【補正方法】変更
【補正の内容】
【請求項２】
ＥＬシートやＬＥＤ等の発光体をシルバーカーボンもしくはこれと同等の素材の裏側に配置して両者の間に遮光性のある任意の形状にカットした素材を配置することにより発光の際に任意の形状のみが発光する照明装置。
(57)【要約】【課題】  ゴミの量をはるかに圧縮した状態と同じ様にしリサイクルにも行いやすい事が目的の一つとする。【解決手段】  上手に折りたたむ事で一つのテトラパックに１０個位入れる事ができ何もしてないのと比べてみるとゴミの量が広がらないでリサイクルの作業も、人の手、機械等も早く能率よくスムーズに終わる。【選択図】図１
0003133737.tif 000002
【実用新案登録請求の範囲】
【請求項１】
飲み終わったジュース、牛乳などのテトラパックを、そのまますてるのではなく、一つのテトラパックに何個も上手に折りたたんだ状態のテトラパックを入れてリサイクルに使うテトラパック又はかんい法
【考案の詳細な説明】
【０００１】  多数発生するテトラパックを上手に処理する方法。
【０００２】  そのまますてて燃やしていたか又は切ってリサイクルにしていた。
【０００３】  空のテトラパックは数が増すとスペースが必要になる。したがって一つのテトラパックを折りたたむ事でゴミの場所がいっきにかたずいた様になる。
【０００４】  一つのテトラパックを上手に折りたたむ事で全く折りたたんでない物に比べ、はるかに小さいものになりゴミのテトラパックをきわめて圧縮したものになる。
【０００５】  一つの空のテトラパックに、上手に折ると１０個位入れる事ができるのでゴミのテトラパックが少なくなり作業する人が行いやすいほかテトラパックの集まりにして加工してやると早く処理できる。
【０００６】  テトラパックを１０個位用意して、１個は完全に上部を開けてしまい残りの９個は上手に折りたたんでぺしゃんこにしてそれを、また上手に２〜３個重ねて一つのテトラパックに収めてしまう。
【０００７】  図２の様に上手に折って一つの物にしリサイクル又はゴミにする。
【図面の簡単な説明】
【０００８】
【図１】  本考案の完成図
【図２】  完成させるためのわかりやすくした、だんどり図
【図１】
0003133737.tif 000003
【図２】
0003133737.tif 000004
【手続補正書】
【提出日】平成19年4月10日(2007.4.10)
【手続補正１】
【補正対象書類名】実用新案登録請求の範囲
【補正対象項目名】全文
【補正方法】変更
【補正の内容】
【実用新案登録請求の範囲】
【請求項１】
普通はゴミになる空のテトラパックを上手に折りたたんで、折りたたんだテトラパック同志を上手に組合せ一つの空のテトラパックに１０個位、入れたじょうぶで軽い代用品、カンイブロック．
(57)【要約】      （修正有）【課題】簡単に上げ下げできる傘カバー付傘で、石突部の外側のねじ部分を回せば簡単にスルット部分にたまった水を出すことが出来る傘カバー付傘の提供。【解決手段】畳んでも傘本体（ハ）部分に水滴が多数ついている。収縮状態にあるスルット部分（イ）を取手（ホ）まで上げれば、スルット（ロ）が展開状態となり、傘地本体（ハ）を被ることにより、周りの人や床に水滴が付くことがなくなる。そして，雨露を溜める集溜部を排水弁を外して、水抜きも簡単に実現できる。【選択図】図２
0003133731.tif 000002
【実用新案登録請求の範囲】
【請求項１】
水濡れ防止カバー付スルット傘。
【考案の詳細な説明】
【技術分野】
【０００１】
この発明は、雨傘に関する。
【背景技術】
【０００２】
従来の雨傘は使用した後で人ごみや車内に入ると、雨露が自分と周りの人の衣服や床を濡らしてしまう。
【考案の開示】
【考案が解決しようとする課題】
【０００３】
従来の使用方法であれば、使用済みの濡れた傘で不快な思いをすることが多かった。そこで、この発明は、濡れた傘でも人ごみや車内で快適にすごせるようにする、という課題の解決を目的とする。
【課題を解決するための手段】
【０００４】
以上の課題を解決するために、第一発明は、簡単に上げ下げできることを特徴とする傘カバー付傘である。第二発明は、石突部の外側のねじ部分を回せば簡単にスルット部分にたまった水を出すことが出来ることを特徴とする傘カバー付の傘である。
【考案の効果】
【０００５】
第一発明、または第二発明によれば、濡れた傘でも人ごみや車内で快適にすごせるようになる。
【考案を実施するための最良の形態】
【０００６】
この発明の一実施形態を、図１・図2に示す。使用した傘は図2のように畳んでも傘本体（ハ）部分に水滴が多数ついている。図1のように収縮状態にあるスルット部分（イ）を取手（ホ）まで上げれば、スルット（ロ）が展開状態となり、傘地本体（ハ）を被ることにより、周りの人や床に水滴が付くことがなくなる。そして，雨露を溜める集溜部（ヘ）を排水弁（ニ）を外して、水抜きも簡単に実現できる。
【実施例】
【０００７】
この実施形態によれば、スルット傘で、濡れた傘をすばやく簡単にカバーできる。したがって、自分と周りの人たちの衣服や床などを濡らさない。
【図面の簡単な説明】
【０００８】
【図１】この発明の実施形態の使用中を示す横視図である。
【図２】この発明の実施形態の使用前を示す横視図である。
【図３】この発明のねじ部分の形態を示す拡大斜視図である。
【符号の説明】
【０００９】
スルット部分収縮した状態
スルット部分展開した状態
傘地本体
スルットネジ部分
傘取手部分
雨露集溜部
【図１】
0003133731.tif 000003
【図２】
0003133731.tif 000004
【図３】
0003133731.tif 000005
【手続補正書】
【提出日】平成18年11月30日(2006.11.30)
【手続補正１】
【補正対象書類名】実用新案登録請求の範囲
【補正対象項目名】全文
【補正方法】変更
【補正の内容】
【実用新案登録請求の範囲】
【請求項１】
プラスチック成型した図１の伸縮させる構造物と，石突部の外側に排水する為のネジ式栓を付けたものを雨傘に固定して、上部だけを上下に動かすことによりカバーが伸縮することが出来る雨傘。自分と周りの人たちの衣服や床などを濡らさないことのできる傘カバー付傘である
【手続補正書】
【提出日】平成19年2月26日(2007.2.26)
【手続補正１】
【補正対象書類名】実用新案登録請求の範囲
【補正対象項目名】全文
【補正方法】変更
【補正の内容】
【実用新案登録請求の範囲】
【請求項１】
伸縮させる構造物と，石突部の外側に排水する為の排水弁を付けたものを雨傘に固定して、上部だけを上下に動かすことによりカバーが伸縮することが出来る水濡れ防止雨傘。